(57)【要約】      （修正有）【課題】装置本体の前面開口に軸支されたドアを開放した際にロック状態にし忘れ、風等によってドアが閉じて作業者に衝突する等の事故を未然に防ぐようにした金銭取扱い装置を提供する。【解決手段】前面に開口１Ａを有し、各種ユニットを収容した装置本体１と、該装置本体１の前面開口１Ａを開閉するために側部端縁を装置本体１によって軸支されたドア２と、ドア２と装置本体１とによって夫々両端部を回動自在に軸支されドア２を開放状態にロックするロック機構Ｂを備えたロックステー２０と、装置本体１の前面開口１Ａの下部より起立した閉止姿勢から前方へ倒れた開放姿勢との間を開閉自在に軸支されたユニットドア３０とを備えた金銭取扱い装置において、ロック機構Ｂが非ロック状態でドアが開放されているときに、ユニットドア３０を開放姿勢にしたとき、ユニットドア３０によってロックステー２０を係止し、ドアが閉止方向へ回動することを阻止する。【選択図】図１
2007140584.tif 000002
【特許請求の範囲】
【請求項１】
前面に開口を有した筐体内にユニットを収容した装置本体と、該装置本体の前面開口を横方向に開閉するために側部端縁を装置本体によって軸支されたドアと、前記ドアと前記装置本体とによって夫々長手方向両端部を回動自在に軸支されドア開放時にロック操作を受けることによってドアを開放状態にロックするロック機構を備えたロックステーと、前記装置本体の前面開口の下部により起立した閉止姿勢から前方へ倒れた開放姿勢との間を開閉自在に軸支されると共に前記閉止姿勢にあるとき前記ユニットへのアクセスを制限するユニットドアと、を備えた金銭取扱い装置において、
前記ロックステーのロック機構が非ロック状態で前記ドアが開放されているときに、前記ユニットドアを開放姿勢にしたときに、前記ユニットドアの一部によって前記ロックステーを係止することにより前記ドアが閉止方向へ回動することを阻止する係止機構を備えたことを特徴とする金銭取扱い装置。
【請求項２】
前記係止機構は、前記ロックステーに設けた起立片と前記ユニットドアの側端縁との係合により、前記ユニットドアの一部による前記ロックステーの係止状態を実現することを特徴とする請求項１に記載の金銭取扱い装置。
【請求項３】
前記ユニットは、前記装置本体の前面開口から前方へ引き出し可能に支持されており、前記ユニットドアが閉止姿勢にあるときは、前記ユニットの前方への引出しが阻止されるように構成されていることを特徴とする請求項１又は２に記載の金銭取扱い装置。
【発明の詳細な説明】
【技術分野】
【０００１】
本発明は、自動販売機、両替機、金銭払出装置、精算機等の金銭取扱い装置の改良に関し、特に装置本体の前面開口に軸支されたドアを横方向に開放した際にロックステーをロック状態にし忘れることにより風等によってドアが閉じて作業者に衝突する等の事故を事前に防ぐようにした金銭取扱い装置に関する。
【背景技術】
【０００２】
セルフ給油方式を採用したガソリンスタンドでは、更なるコスト低減を図るために複数の給油機に対して、単数又は少数の精算機を別構成にして設置したシステムを採用することが多い。この給油システムにおいては、利用者が給油機の金銭投入口に金銭を投入してから給油操作を行った際に釣銭がある場合においても、給油機自体からは釣銭は払い出されず、釣銭に関する情報をバーコードにより記録したレシートを給油機から発行する。釣銭の払出しは、給油機から離間した箇所に別途設置された精算機により行われる。
利用者は精算機のレシート挿入口内にレシートを挿入して、挿入口内に配置されたバーコードリーダからの検知用のレーザ光をレシートのバーコード部分に照射させることによって釣銭に関する情報の読取りを受ける。精算機側では、レシート上のバーコードから読取った釣銭情報に基づいて払出口に釣銭を払い出す。このように給油機毎に精算機を設けずに、複数の給油機に共通する一台、或いは少数の精算機によって釣銭を払い出すように構成することによって、給油機の装置構成を簡略化すると共に管理手数を低減して、コストダウンを図ることが可能となる（特許文献１、２）。
図２（ａ）は従来の精算機の外観図（正面図）であり、この精算機は、装置本体１の前面に開閉自在なドア（外装体）２を備え、このドア２の前面にはレシート挿入口３、紙幣払出口４、硬貨払出口５、払出し金額等の表示部６等が装備されている。
図２（ｂ）はドアを開放した時に筐体の前面開口１Ａから露出する装置本体１の内部構成を示しており、レシート挿入口３の直上に相当する位置にはバーコードリーダ１０が配置され、紙幣払出口４の内側に相当する位置には紙幣払出口に払出し用の紙幣を供給する紙幣ユニット（金銭払出装置）１１が配置され、硬貨払出口５の内側に相当する位置には硬貨払出口に払出し用の硬貨を供給する硬貨ユニット（金銭払出装置）１５が配置されている。
ドア２は、ロックステー２０によって装置本体と連結されている。ロックステー２０は、ドア２と装置本体１とによって夫々長手方向両端部を回動自在に軸支されドア開放時にロック操作を受けることによってドアを開放状態にロックするロック機構を備えている。
また、例えば紙幣ユニット１１は、装置本体内から前方へ引き出し自在に構成されているが、ユニットドア３０を開放しない限り引き出すことができないように構成されている。即ち、ユニットドア３０は、装置本体の前面開口１Ａの下部に設けたヒンジ３１より起立した閉止姿勢から前方へ倒れた開放姿勢との間を開閉自在に軸支されている。ユニットドア３０が図２（ｂ）に示すように閉止した起立状態にあるときには装置本体内部にあるユニットは引き出しすることができない。一方、ユニットドア３０を前方へ開放した時には各ユニットの引出しが可能となる。このようにドア２とユニットドア３０との２重施錠によってセキュリティを向上させている。
【０００３】
図３はロックステー２０の一例を示す構成図であり、装置本体の適所に設けた案内ピン２２とドア２側の適所に設けた回動固定ピン２３とによって両端部を支持されたステー部材２１と、ステー部材２１に設けた案内孔２４、及び案内孔２４に設けたロック溝２５、２６と、を備えている。回動固定ピン２３と、案内孔２４、及びロック溝２５、２６は、ロック機構Ｂを構成している。ドア２の開閉時には本体側案内ピン２２が案内孔２４に沿って移動することによりドア２の開閉を可能にすると共に、案内ピン２２が何れかのロック溝２５、２６に嵌合した状態ではドア２は所定の回動角度にて開放状態をロックされるように構成されている。ロック機構Ｂをロック状態に操作するためにはステー部材２１を手前側へ引けばよい。
通常、ドア２を開放したときに目に付きやすい箇所には、ドア２の開放時にはロックステーを必ずロック状態にすべき旨の注意書きを記載するが、作業者によってはロックをし忘れてドア２を開放してユニットに対するメンテナンスや金銭の補給等を行うことがある。このような場合には風や他の物理力によってドア２が閉じる方向に回動することがあり、装置本体前面に位置する作業者にドアが衝突して怪我を負わせることがある。
【特許文献１】特開平８−１１９３９６号公報
【特許文献２】特開２００５−４７５５８公報
【発明の開示】
【発明が解決しようとする課題】
【０００４】
上記のように従来の金銭取扱い装置におけるドアの開閉構造にあっては、ドアを開放状態にロックするためのロックステーがあるにも拘わらずロック状態にせずにドアを開放して作業を行うことがあった。この場合、風等によってドアが閉止方向に回動すると、作業者に衝突する不具合があった。
本発明は上記に鑑みてなされたものであり、作業者がドアを開放した後で必ず開放するユニットドアを利用してドアが閉止方向へ回動することを阻止することにより、装置本体の前面開口に軸支されたドアを横方向に開放した際にロックステーをロック状態にし忘れることにより風等によってドアが閉じて作業者に衝突する等の事故を未然に防ぐようにした金銭取扱い装置を提供することを目的としている。
【課題を解決するための手段】
【０００５】
上記目的を達成するため、請求項１の発明は、前面に開口を有した筐体内にユニットを収容した装置本体と、該装置本体の前面開口を横方向に開閉するために側部端縁を装置本体によって軸支されたドアと、前記ドアと前記装置本体とによって夫々長手方向両端部を回動自在に軸支されドア開放時にロック操作を受けることによってドアを開放状態にロックするロック機構を備えたロックステーと、前記装置本体の前面開口の下部により起立した閉止姿勢から前方へ倒れた開放姿勢との間を開閉自在に軸支されると共に前記閉止姿勢にあるとき前記ユニットへのアクセスを制限するユニットドアと、を備えた金銭取扱い装置において、前記ロックステーのロック機構が非ロック状態で前記ドアが開放されているときに、前記ユニットドアを開放姿勢にしたときに、前記ユニットドアの一部によって前記ロックステーを係止することにより前記ドアが閉止方向へ回動する係止機構を備えたことを阻止するように構成したことを特徴とする。
請求項２の発明は、請求項１において、前記係止機構は、前記ロックステーに設けた起立片と前記ユニットドアの側端縁との係合により、前記ユニットドアの一部による前記ロックステーの係止状態を実現することを特徴とする。
請求項３の発明は、請求項１又は２において、前記ユニットは、前記装置本体の前面開口から前方へ引き出し可能に支持されており、前記ユニットドアが閉止姿勢にあるときは、前記ユニットの前方への引出しが阻止されるように構成されていることを特徴とする。
【発明の効果】
【０００６】
以上のように本発明によれば、ロックステーのロック機構が非ロック状態でドアが開放されているときに、ユニットドアを開放姿勢にしたときに、ユニットドアの一部によってロックステーを係止することによりドアが閉止方向へ回動することを阻止するように構成したので、作業者がドアを開放した後で必然的に開放するユニットドアを利用してドアが閉止方向へ回動することを阻止することができ、装置本体の前面開口に軸支されたドアを横方向に開放した際にロックステーをロック状態にし忘れることにより風等によってドアが閉じて作業者に衝突する等の事故を未然に防ぐことができる。
【発明を実施するための最良の形態】
【０００７】
以下、本発明を図面に示した実施の形態により詳細に説明する。
図１（ａ）及び（ｂ）は本発明の一実施形態に係る金銭取扱い装置に装備されるドアロック構造を示す要部構成図である。
なお、金銭取扱い装置の全体構成については図２、図３を併せて参照し、同一部分には同一符号を付して説明する。
本発明の金銭取扱い装置は、図２に示したように前面に開口１Ａを有した筐体内に各種ユニット１１、１５を収容した装置本体１と、装置本体１の前面開口１Ａを横方向に開閉するために側部端縁を装置本体によって軸支されたドア２と、ドアと装置本体とによって夫々長手方向両端部を回動自在に軸支されドア開放時にロック操作を受けることによってドアを開放状態にロックするロック機構Ｂを備えたロックステー２０と、装置本体の前面開口の下部に設けたヒンジ３１により起立した閉止姿勢から前方へ倒れた開放姿勢との間を開閉自在に軸支されたユニットドア３０と、ロック機構Ｂが非ロック状態でドアが開放されている場合であっても、ユニットドア３０を開放姿勢にしたときに、ユニットドアの一部によってロックステーを係止することによりドアが閉止方向へ回動することを阻止する係止機構Ｃと、を備えている。
装置本体内の各種ユニット１１、１５等は、ユニットドア３０を前方へ開放しなければ、前方へ引き出してメンテナンスを行うことができない構造である。
【０００８】
図３に示したように、ロック機構Ｂは、回動固定ピン２３と、ステー部材２１に設けた案内孔２４、及び案内孔２４に設けたロック溝２５、２６とを備えている。
本発明の特徴的な構成は、ステー部材２１の適所（手前側端縁）に設けた起立片（係止片）２７と、起立片２７と係合するユニットドア３０の側端縁３０ａと、から成る係止機構Ｃを設けた点にある。即ち、係止機構Ｃは、図１（ａ）に示すようにロックステー２０のロック機構Ｂが非ロック状態にあってドア２が開放されているときに、図１（ｂ）のようにユニットドア３０を開放姿勢にした場合にユニットドア３０の一部（側端縁）３０ａによってロックステー２０（ステー部材２１）を係止することによりドア２が閉止方向へ回動することを阻止することができるように構成されている。
このロックステー２０が図３に示した従来のロックステーと異なる点は、ステー部材２１の適所、この例では手前側端縁に起立片（係止片）２７を設けた点にある。この起立片２７は、ユニットドア３０を図１（ｂ）のように前方へ倒した際にユニットドア３０の側端縁３０ａに当接することによりドア２が閉止方向へ回動することを阻止するように構成されている。即ち、図１（ａ）のようにステー部材２１が非ロック状態で開放された状態にあるときにユニットドア３０を（ｂ）のように開放して前方にほぼ水平に倒すと、ユニットドア３０の側端縁３０ａは起立片２７よりも図面左側（装置本体側）の位置に倒れ込むため、ドア２が閉止方向へ回動することによってステー部材２１が閉止方向へ移動しようとしても起立片２７がユニットドア側端縁３０ａに係合するため、ドア２はそれ以上閉止方向へ回動することができなくなる。
従って、作業者がドア２を開放してからロックステー２０のロック機構Ｂをロックし忘れるか、或いはロックしたつもりであっても完全にロックされていなかった場合において、風力や他者に押されることによってドア２が閉じる方向へ回動しようとしてもドア２の開閉動作と連動して作動するステー部材２１の起立片２７が既に開放状態にあるユニットドア３０の一部に係合することにより、ドア２はそれ以上閉止方向へ回動できない状態となる。従って作業者がドア２に衝突する事態を回避することができる。
【０００９】
各ユニットを手前に引き出した上でのメンテナンス作業が終了した後に作業者がユニットドア３０を起立させて閉じると、ユニットドアとステー部材の起立片２７との係合が解除されるため、ドア２を閉止することが可能となる。
ドア２をある角度まで開放したときに、ロックステーに設けた弾性部材によって自動的にロック機構Ｂをロック状態に移行させるように構成することもできるが、部品コストが大幅に上昇するため、本発明の構成の方が優れている。
なお、本発明の金銭取扱い装置は、ガソリンスタンドに設置される精算機ばかりでなく、金融機関のＡＴＭや自動券売機や自動販売機等の金銭取扱い装置一般に適用することができる。
【図面の簡単な説明】
【００１０】
【図１】（ａ）及び（ｂ）は本発明の一実施形態に係る金銭取扱い装置に装備されるドアロック構造を示す要部構成図。
【図２】（ａ）は従来の精算機の外観図（正面図）、（ｂ）はドアを開放した時に筐体の前面開口から露出する装置本体の内部構成を示す図。
【図３】ロックステーの一例を示す構成図。
【符号の説明】
【００１１】
１…装置本体、１Ａ…前面開口、２…ドア、３…レシート挿入口、４…紙幣払出口、５…硬貨払出口、６…表示部、１０…バーコードリーダ、１１…紙幣ユニット、２０…ロックステー、２１…ステー部材、２２…案内ピン、２２…本体側案内ピン、２３…回動固定ピン、２４…案内孔、２４、…案内孔、２５、２６…ロック溝、２７…起立片、３０…ユニットドア、３０ａ…ユニットドア側端縁、３１…ヒンジ、Ｂ…ロック機構、Ｃ…係止機構。
【図１】
2007140584.tif 000003
【図２】
2007140584.tif 000004
【図３】
2007140584.tif 000005